(57)【要約】      （修正有）【課題】身体障害者等に使いやすい身体障害者用ルーム区域を形成するホテル構造を提供する。【解決手段】廊下側壁２と窓側壁４との間に複数のシングルルーム区域を列設したホテル構造における列設された複数のシングルルーム区域に、シングルルーム区域の間隔幅の２倍の身体障害者用ルーム区域１１を組み込んだホテル構造において、身体障害者用ルーム区域１１の廊下側壁２の中央部に外開きの入口部１２を設け、入口部１２から窓側壁４に向けて車椅子１３の回転幅の通路１４を形成し、通路１４の左右に廊下側壁２に沿ってそれぞれ浴槽２１に隣接した空間に移乗台２２を備える浴室１５と、車椅子１３の進行方向に向けて開口した洗面台１６乃至便器１７の設置室１８を形成すると共に、通路１４の窓側壁４に沿ってベッド区画２４を形成するようにしたホテル構造。【選択図】図２
0003204941.tif 000002
【実用新案登録請求の範囲】
【請求項１】
廊下側壁と窓側壁との間に複数のシングルルーム区域を列設したホテル構造における列設された複数のシングルルーム区域に、シングルルーム区域の間隔幅の２倍の身体障害者用ルーム区域を組み込んだホテル構造において、組み込むと共に、身体障害者用ルーム区域の廊下側壁の中央部に外開きの入口部を設け、該入口部から窓側壁に向けて車椅子の回転幅の通路を形成し、該通路の左右に廊下側壁に沿ってそれぞれ浴槽に隣接した空間に移乗台を備える浴室と、該車椅子の進行方向に向けて開口した洗面台乃至便器の設置室を形成すると共に、該通路の窓側壁に沿ってベッド区画を形成するようにしたことを特徴とするホテル構造。
【考案の詳細な説明】
【技術分野】
【０００１】
この考案は、例えばビジネスホテル等において身体障害者用ルーム区域を設けたホテル構造の改良に関するものである。
【背景技術】
【０００２】
一般に、身体障害者用ルームとしては、入口部から車椅子の回転幅の通路を形成し、ベッド区画には該通路側に１台のベッドとその奥に他の１台のベッドを並設し、これら２台のベッド何れも利用できるように、上記通路からはこれらベッド端部に回り込める車椅子の回転幅の通路を形成したものが知られている。
【０００３】
一方、ビジネスホテル等においては例えば図３に示すように、廊下１を挟んで一方の廊下側壁２と窓側壁４の間にはシングルルーム区域６，…が列設形成され、他方の廊下側壁３と他方の窓側壁５の間にはツインルーム区域７、ダブルルーム区域８が列設形成されるようなど画一的なホテル構造のものが多く、このようなホテル構造においては上述のように２台の並設されるベッドの端部に回り込める車椅子の回転幅の通路を形成する身体障害者用ルームを組み込むことは極めて困難である。
【０００４】
そこで、本願出願人は先にビジネスホテル等の画一的なホテル構造において、廊下側壁と窓側壁との間に複数のシングルルーム区域を列設したホテル構造において、列設された複数のシングルルーム区域に、シングルルーム区域の間隔幅の２倍の身体障害者用ルーム区域を組み込んだホテル構造を提案した（実用新案登録第３１２４７５９号）。
【先行技術文献】
【特許文献】
【０００５】
【特許文献１】実用新案登録第３１２４７５９号
【考案の概要】
【考案が解決しようとする課題】
【０００６】
一方、上記ホテル構造において、身体障害者用ルームの構造は出来るだけコンパクトにするため、身体障害者用ルーム区域の廊下側壁の一端に入口部を設け、該入口部から窓側壁に向けて車椅子の回転幅の第一通路を形成し、該第一通路に沿って浴室区画とベッド区画を設け、更に浴室区画には、最奥部に浴槽を設けるとともに、該浴槽に向けて車椅子の回転幅の第二通路を形成し、該第二通路に沿って洗面台乃至便器を設けたものであった。
【０００７】
しかし、以上のような構造の身体障害者用ルームでは浴室区画の最奥部に設けられた浴槽で沐浴したり、或いはシャワーを浴びた宿泊者が濡れた状態で洗面台乃至便器前を通るため、洗面台乃至便器前の床面が水浸しになり、滑りやすくなるという不都合を生ずる。
【０００８】
また、身体障害者用ルームの入口部の構造が内開きとなっていたことから、車椅子の利用者の出入りが困難であり、非常時における身体障害者用ルームからの退避が容易ではないという問題があった。他にも、浴室や洗面台において、車椅子の利用者が使いづらい点があった。
【課題を解決するための手段】
【０００９】
この考案は、上記実情に鑑み、廊下側壁と窓側壁との間に複数のシングルルーム区域を列設したホテル構造において、列設された複数のシングルルーム区域に、シングルルーム区域の間隔幅の２倍の身体障害者用ルーム区域を組み込んだホテル構造において、組み込むと共に、身体障害者用ルーム区域の廊下側壁の中央部に外開きの入口部を設け、該入口部から窓側壁に向けて車椅子の回転幅の通路を形成し、該通路の左右に廊下側壁に沿ってそれぞれ浴槽に隣接した空間に移乗台を備える浴室と、該車椅子の進行方向に向けて開口した洗面台乃至便器の設置室を形成すると共に、該通路の窓側壁に沿ってベッド区画を形成するようにしたホテル構造を提案するものである。
【考案の効果】
【００１０】
即ち、この考案において、浴室と洗面台乃至便器設置室は身体障害者用ルーム区域の廊下側壁の中央部に設けられた入口部から窓側壁に向けて形成された車椅子の回転幅の通路の左右に設けられているため、浴室で沐浴したり、シャワーを浴びた後、ベッド区画に戻る際に洗面台乃至便器前を通る必要がないため、従来のように洗面台乃至便器前の床面が水浸しになることもない。
【００１１】
また、身体障害者用ルームの入口部の構造を外開きとしているため、車椅子の利用者の出入りが容易になり、非常時における身体障害者用ルームからの退避が円滑になっている。さらに、浴槽に隣接した空間に移乗台を備えているため、介助者等による車椅子の利用者の浴槽への移動が容易になっている。加えて、洗面台が車椅子の進行方向に向けて開口した形状であるため、洗面台乃至便器設置室に入室した車椅子の利用者は、そのまま進行方向に向けて移動することで円滑に洗面台を使用できる。
【図面の簡単な説明】
【００１２】
【図１】この考案に係わるビジネスホテル等のホテル構造において所定階のフロアーを示す図
【図２】同上の身体障害者用ルーム区域の拡大図
【図３】従来のビジネスホテル等のホテル構造において所定階のフロアーを示す図
【考案を実施するための形態】
【００１３】
廊下側壁と窓側壁との間に複数のシングルルーム区域を列設したホテル構造における列設された複数のシングルルーム区域に、シングルルーム区域の間隔幅の２倍の身体障害者用ルーム区域を組み込んだホテル構造において、組み込むと共に、身体障害者用ルーム区域の廊下側壁の中央部に外開きの入口部を設け、該入口部から窓側壁に向けて車椅子の回転幅の通路を形成し、該通路の左右に廊下側壁に沿ってそれぞれ浴槽に隣接した空間に移乗台を備える浴室と、該車椅子の進行方向に向けて開口した洗面台乃至便器の設置室を形成すると共に、該通路の窓側壁に沿ってベッド区画を形成するようにしたホテル構造。
【００１４】
以下、この考案を図示の実施例に基づいて詳細に説明すると、図１はこの考案に係わるホテル構造において所定階のフロアーを示すものであり、１は廊下、２は一方の廊下側壁、３は他方の廊下側壁、４は一方の窓が組み込まれた窓側壁、５は他方の窓が組み込まれた窓側壁であり、一方の廊下側壁２と窓側壁４との間にはシングルルーム区域６，…が列設形成され、他方の廊下側壁３と窓側壁５との間にはツインルーム区域７、ダブルルーム区域８が列設形成される。
【００１５】
この考案においては、シングルルーム区域６，…が列設される区域にはシングルルーム区域６の間隔９に対して２倍の幅間隔１０を有する身体障害者用ルーム区域１１が組み込まれる。
【００１６】
そして、身体障害者用ルーム１１の廊下側壁２の中央部には外開きの入口部１２が設けられ、入口部１２から窓側壁４に向けて車椅子１３の回転幅の通路１４が形成され、通路１４の左右に廊下側壁２に沿ってそれぞれ浴槽に隣接した空間に移乗台を備える浴室１５と、車椅子１３の進行方向に向けて開口した洗面台１６乃至便器１７の設置室１８を設ける。
【００１７】
浴室１５内には車椅子１３の回転幅の洗い場１９が設けられ、洗い場１９の後面上方にはシャワー２０が備えられ、洗い場１９の側面には浴槽２１が設けられ、浴槽２１の後方には車椅子１３の利用者が浴槽２１内に入る場合に利用する移乗台２２が備えられ、洗い場１９と浴槽２１の壁面にはそれぞれ手摺り２３，２３が設けられている。
【００１８】
一方、通路１４の窓側壁４に沿ってベッド区画２４，２４が形成され、この実施例ではベッド区画２４，２４は通路１４を挟んでセミダブルベッドを設けて構成される。
【００１９】
以上の構成において、浴室１５と洗面台１６乃至便器１７の設置室１８は身体障害者用ルーム１１区域の廊下側壁２の中央部に設けられた入口部１２から窓側壁４に向けて形成された車椅子１３の回転幅の通路１４の左右に設けられているため、浴室１５で沐浴したり、シャワーを浴びた後、ベッド区画２４に戻る際に洗面台１６乃至便器１７前を通る必要がないため、従来のように洗面台乃至便器前の床面が水浸しになることもない。
【００２０】
また、身体障害者用ルームの入口部１２の構造を外開きとしているため、車椅子１３の利用者の出入りが容易になり、非常時における身体障害者用ルームからの退避が円滑になっている。
【００２１】
さらに、この実施例では浴槽２１の後方には移乗台２２が備えられているため、介助者等は移乗台２２を利用して車椅子１３の利用者を容易に浴槽２１に移動させることができる。
【００２２】
加えて、洗面台１６は車椅子１３の進行方向に向けて開口した形状であるため、洗面台乃至便器設置室１８に入室した車椅子１３の利用者は、そのまま進行方向に向けて移動することで円滑に洗面台１６を使用できる。
【００２３】
なお、この実施例では洗い場の上方にシャワー２０が設けられているため、利用者はわざわざ浴槽２１に入ることなく、洗い場でシャワーを浴びることができる。
【００２４】
以上要するに、この考案によれば画一的な構造の例えばビジネスホテル等において身体障害者等に使いやすい身体障害者用ルーム区域を形成することができる。
【符号の説明】
【００２５】
１  廊下
２  一方の廊下側壁
３  他方の廊下側壁
４  一方の窓が組み込まれた窓側壁
５  他方の窓が組み込まれた窓側壁
６，…  シングルルーム区域
７  ツインルーム区域
８  ダブルルーム区域
９  シングルルーム区域の間隔
１１  身体障害者用ルーム区域
１０  身体障害者用ルーム区域の間隔
１２  身体障害者用ルームの入口部
１３  車椅子
１４  通路
１５  浴室
１６  洗面台
１７  便器
１８  洗面台乃至便器設置室
１９  洗い場
２０  シャワー
２１  浴槽
２２  移乗台
２３，２３  手摺り
２４，２４  ベッド区画
【図１】
0003204941.tif 000003
【図２】
0003204941.tif 000004
【図３】
0003204941.tif 000005